(57)【要約】【課題】集水桝内に常時雨水が貯留されることがなく、害虫の発生を防止することができる集水桝を提供すること。【解決手段】集水した水を排水管を介して排水する集水桝において、底部に開口部を有すると共に、側壁部に排水管と連通する連通孔を有し、頂部を開放した桝本体と、前記開口部を前記桝本体の内側から閉塞する透水性を備えた透水板と、前記桝本体の底部に当接させて配設した透水性を有する透水シートとを有することとした。【選択図】図１
0003128625.tif 000002
【実用新案登録請求の範囲】
【請求項１】
集水した水を排水管を介して排水する集水桝において、
底部に開口部を有すると共に、側壁部に排水管と連通する連通孔を有し、頂部を開放した桝本体と、
前記開口部を前記桝本体の内側から閉塞する透水性を備えた透水板と、
を有することを特徴とする集水桝。
【請求項２】
前記桝本体の底部に当接させて配設した透水性を有する透水シートを有することを特徴とする請求項１に記載の集水桝。
【請求項３】
前記透水板と前記透水シートとの間に空隙を有することを特徴とする請求項１又は請求項２に記載の集水桝。
【請求項４】
前記透水板は、把持部を有し、当該把持部を把持して取替え可能に構成したことを特徴とする請求項１〜３のいずれか１項に記載の集水桝。
【請求項５】
前記透水板は、前記開口部を閉塞した状態において、その上面が前記連通孔の下端よりも下方に位置する厚みを有し、
前記透水板の上面と前記連通孔の下端との間に、前記集水した水に含まれる泥砂を貯留する泥砂貯留部を備えることを特徴とする請求項１〜４のいずれか１項に記載の集水桝。
【請求項６】
前記透水板は、ポーラスコンクリートにより形成したことを特徴とする請求項１〜５のいずれか１項に記載の集水桝。
【考案の詳細な説明】
【技術分野】
【０００１】
本考案は、雨水等の天水を集水して、排水管を介して下水道等へ排水する排水桝に関するものである。
【背景技術】
【０００２】
従来より、家屋の周囲には、雨樋に流れ込んだ雨水等の天水を集水し、排水管を介して下水道等へ排水する集水桝が埋設されていた（たとえば、特許文献１参照。）。
【０００３】
図３は、従来の一般的な集水桝の断面を示す説明図である。この図３に示すように、従来の集水桝１００は、コンクリートにより形成され、上部が開放された所定の深さを有する箱状の桝本体１０１と、この桝本体１０１の上部を閉塞する蓋体１０２とにより構成されていた。なお、図３中の符号１０３は、家屋周辺の地面を示しており、符号１０５は、地面１０３の表面を被覆するコンクリートを示しており、符号１０４は、集水桝１００を埋設する際の基礎材となる栗石を示している。
【０００４】
この集水桝１００は、蓋体１０２に雨樋（図示略）と連通した呼樋１１３を挿入可能な集水穴１０６が形成されており、この集水穴１０６を介して雨樋に流れ込んだ雨水を桝本体１０１へ流入させるよう構成していた。
【０００５】
また、この集水桝１００は、桝本体１０１の側壁部の所定位置に排水管１０７と連通する連通孔１０８を備えており、この連通孔１０８から排水管１０７を介して雨水を下水道等へ排水するように構成していた。
【０００６】
そして、この集水桝１００では、連通孔１０８を桝本体１０１の底部から所定の高さの位置に形成することにより、桝本体１０１における底部から連通孔１０８の下端までの部分を泥溜め部として機能させ、この泥溜め部において泥砂を除去した雨水を排水管１０７側へ排水するように構成していた。
【０００７】
すなわち、この集水桝１００では、降雨時に桝本体１０１に雨水が流入すると、一定量までの雨水が泥溜め部に貯留され、この泥溜め部の中で雨水に含まれる泥砂１１０が桝本体１０１の底部に沈殿して、水１０９と泥砂１１０とに分離され、その後、上記一定量を越える雨水が桝本体１０１に流入すると、泥溜め部に溜まった上澄みである水１０９が排水管１０７側へ排水されるのである。
【０００８】
このように、従来の集水桝１００では、雨水から泥砂１１０を可及的に除去した水１０９を排水管１０７へ排水することにより、泥砂１１０が排水管１０７内に堆積して排水効率が低下することを防止するようにしていた。
【特許文献１】特開平８−１３６０２号公報
【考案の開示】
【考案が解決しようとする課題】
【０００９】
ところが、上記従来の集水桝１００は、常時泥溜め部に雨水が貯留されていたため、長期間雨が降らないと、泥溜め部内の水が入れ替わることがなく、上澄みの水１０９が腐敗してボウフラ１１１（蚊１１２の幼虫）等の害虫が発生する温床となるおそれがあった。
【課題を解決するための手段】
【００１０】
そこで、請求項１に係る本考案では、集水した水を排水管を介して排水する集水桝において、底部に開口部を有すると共に、側壁部に排水管と連通する連通孔を有し、頂部を開放した桝本体と、開口部を桝本体の内側から閉塞する透水性を備えた透水板とを有することを特徴とする。
【００１１】
また、請求項２に係る本考案では、請求項１に記載の集水桝において、桝本体の底部に当接させて配設した透水性を有する透水シートを有することを特徴とする。
【００１２】
また、請求項３に係る本考案では、請求項１又は請求項２に記載の集水桝において、透水板と透水シートとの間に空隙を有することを特徴とする。
【００１３】
また、請求項４に係る本考案では、請求項１〜３のいずれか１項に記載の集水桝において、透水板は、把持部を有し、当該把持部を把持して取替え可能に構成したことを特徴とする。
【００１４】
また、請求項５に係る本考案では、請求項１〜４のいずれか１項に記載の集水桝において、透水板は、開口部を閉塞した状態において、その上面が連通孔の下端よりも下方に位置する厚みを有し、透水板の上面と連通孔の下端との間に、集水した水に含まれる泥砂を貯留する泥砂貯留部を備えることを特徴とする。
【００１５】
また、請求項６に係る本考案では、請求項１〜５のいずれか１項に記載の集水桝において、透水板は、ポーラスコンクリートにより形成したことを特徴とする。
【考案の効果】
【００１６】
請求項１に係る本考案では、桝本体の底部に設けられた開口部を、透水板により桝本体の内側から閉塞するように構成したため、桝本体内の雨水を透水板を介して地中側へ排出することができ、これにより、桝本体に雨水が常時貯留されることがなくなり、集水桝が害虫発生の温床となることを防止することができる。
【００１７】
請求項２に係る本考案では、桝本体の底部外側に透水シートを配設したため、桝本体から地中側へ短時間に多量の雨水が排水されることを防止して、地盤の軟化を抑制し、集水桝が地中へ不要に埋没することを防止することができる。
【００１８】
請求項３に係る本考案では、透水板と透水シートとの間に空隙を設けたため、桝本体に貯留されている雨水が少量の場合には、その雨水は透水板を透過して上記空隙へ排出されるので、透水板内部が長期にわたり雨水に浸されることがなく、透水板の内部にコケ等が生じることを抑制することができ、これにより、透水板における透水性の劣化を防止することができる。
【００１９】
請求項４に係る本考案では、透水板に把持部を設けると共に、当該把持部を把持して透水板を取替え可能に構成したため、万一透水板に目詰まり等が生じて透水性が劣化した場合には、容易に新たな透水板と交換することができる。
【００２０】
請求項５に係る本考案では、桝本体において、透水板の上面と連通孔の下端との間に泥砂貯留部を設けたため、集水桝が害虫発生の温床となることを防止すると共に、排水管に泥砂が体積することも防止することができ、排水管の排水性を良好に保つことができる。
【００２１】
請求項６に係る本考案では、透水板を多孔性のポーラスコンクリートにより形成したため、比較的低コストでありながら十分な透水性と強度を備えた透水板とすることができる。
【考案を実施するための最良の形態】
【００２２】
以下、本考案に係る集水桝の一実施の形態について、図面を参照して具体的に説明する。
【００２３】
図１は、本実施形態に係る集水桝の断面を示す説明図であり、図２は、本実施形態の集水桝が備える透水板の変形例を示す説明図である。なお、ここでは、集水桝の一例として、家屋の周囲に埋設され、雨樋に流れ込んだ雨水等の天水を集水して、排水管を介して下水道等へ排水する集水桝に対して本考案を適用した場合について説明するが、本考案は、これに限定するものではなく、上下水道、側溝等に用いられる各種排水管の分岐点又は合流点に設置されるような各種集水桝に対して適用することができる。
【００２４】
図１に示すように、本実施形態に係る集水桝１は、底部に開口部２を有すると共に、側壁部３に排水管４と連通する連通孔５を有し、頂部を開放した桝本体６と、底部に形成した開口部２を桝本体６の内側から閉塞する透水性を備えた透水板７と、桝本体６の底部外側面に当接させて配設した透水性を有する透水シート８と、桝本体６の頂部を閉塞する蓋体９とを備えている。
【００２５】
桝本体６は、コンクリートを成型して製造したものであり、家屋の周囲における地面１０の所定位置に埋設して、雨樋に流れ込んだ雨水等の天水を集水して、排水管を介して下水道等へ排水するために使用するものである。なお、ここでは、桝本体６を製造する材料としてコンクリートを使用しているが、桝本体６に集水した雨水が周囲の地面に漏えいすることを防止可能な材料であれば、合成樹脂や金属、セラミックス等任意の材料を用いることができる。
【００２６】
この桝本体６の底部に形成されている開口部２は、その幅が桝本体６の両内壁間の幅よりも狭く形成されており、桝本体６底部の厚み分だけの長さを有している。
【００２７】
また、桝本体６頂部の開放されている部分の内周には、蓋体９の厚さと同じ深さの段部が形成されており、この段部に蓋体９を嵌合することによって、桝本体６の頂部を閉塞するようにしている。
【００２８】
また、桝本体６の側壁部３に形成されている連通孔５は、その下端が透水板７の上面よりも所定の高さだけ高い位置に形成されており、桝本体６内部における透水板７の上面と連通孔５の下端との間の領域を、集水した水に含まれる泥砂が貯留される泥砂貯留部１１として機能させるようにしている。
【００２９】
このように、本実施形態の集水桝１では、桝本体６内に泥砂貯留部１１を設け、この泥砂貯留部１１内部で、泥砂の沈殿作用を利用して桝本体６に集水した雨水を泥砂と上澄みの水とに分離し、可及的に泥砂を除去した上澄みの水を排水管４へ排水することによって、排水管４に泥砂が堆積することを防止して、排水管４の排水性を良好に保つようにしている。
【００３０】
また、桝本体６の上部を閉塞する蓋体９は、その厚さが上記段部の深さと等しい金属板により構成されており、その所定位置に、雨樋（図示略）と連通した呼樋１２を挿入可能な集水穴１３が形成され、この集水穴１３を介して雨樋に流れ込んだ雨水を桝本体６へ流入させるよう構成している。
【００３１】
特に、桝本体６底部の開口部２を閉塞する透水板７は、透水性を有する多孔性のポーラスコンクリートにより形成した板体により構成している。
【００３２】
そのため、この集水桝１において、少量の降雨時や、雨が上がった後に上記泥砂貯留部１１に貯留されている雨水は、透水板７を透過して地中側へ排水される。
【００３３】
そのため、この集水桝１は、桝本体６内に雨水が常時貯留されることがなく、害虫発生の温床となるおそれがない。
【００３４】
また、透水板７は、上記のようにポーラスコンクリートにより形成しているため、比較的低コストでありながら十分な透水性と強度を確保することができる。
【００３５】
さらに、この透水板７は、開口部２を閉塞した状態において、その上面が連通孔５の下端よりも下方に位置する厚みとなるように形成しており、これにより、桝本体６内部における透水板７の上面と連通孔５の下端との間に、泥砂貯留部１１を形成するようにしている。
【００３６】
また、桝本体６の底部外側面に当接させて配設する透水シート８は、透水板７よりも低い透水性を有する公知のシートにより構成しており、これにより、桝本体６から地中側へ短時間に多量の雨水が排水されることを防止して地盤の軟化を抑制し、集水桝１が地中へ不要に埋没することを防止するようにしている。
【００３７】
しかも、この集水桝１では、桝本体６の外側からこの透水シート８により開口部２を閉塞すると共に、桝本体６の内側から透水板７により開口部２を閉塞することによって、透水板７と透水シート８との間に空隙（図１に示す開口部２の領域）を形成している。
【００３８】
そのため、この集水桝１では、桝本体６に貯留されている雨水が少量の場合に、その雨水が透水板７を透過して上記空隙へ排出されるので、透水板７内部が長期間にわたり雨水に浸されることがなく、透水板７の内部にコケ等が生じるおそれが少ないので、透水板７の透水性を可及的に長く良好に保つことができる。
【００３９】
ここで、このように構成した集水桝１の設置方法について説明する。この集水桝１を設置する際には、まず、家屋の周囲における地面１０の所定位置に、桝本体６の底面積よりも広く桝本体６の深さよりも深い穴を掘削する。
【００４０】
次に、この穴の底に栗石を敷設して、集水桝１を埋設するための基礎層１４を所定の厚みに形成する。
【００４１】
次に、この基礎層１４の表面を被覆するように、透水シート８を敷設し、この透水シート８の表面に桝本体６の底面外側を当接させて載置すると共に、桝本体６の側壁部３に形成された連通孔５に排水管４を挿入して桝本体６の位置決めを行う。
【００４２】
次に、桝本体６底部に透水板７を載置することにより、開口部２を桝本体６の内側から閉塞し、その後、桝本体６と地面１０との隙間を土により埋めた後、桝本体６周囲の地面１０の表面にコンクリート１５を打設する。
【００４３】
次に、桝本体６の上部に形成した段部に蓋体９を嵌合することによって、桝本体６頂部の開放している部分を閉塞し、最後に、蓋体９の集水穴１３に雨樋と連通している呼樋１２を挿入して集水桝１の設置が完了する。
【００４４】
こうして設置した集水桝１では、降雨時に雨樋に流れ込んだ雨水が集水穴１３に挿入した呼樋１２を介して桝本体６の内部へ流入する。
【００４５】
桝本体６の内部へ流入した雨水は、水かさが連通孔５の下端に達するまで泥砂貯留部１１に貯留され、この泥砂貯留部１１内部で、泥砂の沈殿作用により泥砂と上澄みの水とに分離される。
【００４６】
その後、桝本体６内の水かさが増して連通孔５の下端を越えると、泥砂貯留部１１内部における上澄みの水は、連通孔５を介して排水管４へ流れ込み、排水管４と連通している下水道等へ排出されるのである。
【００４７】
その後、雨が止むと、泥砂貯留部１１に貯留されている雨水（上澄みの水と泥砂が含んでいる水を含む。）は、透水板７を透過して、透水板７と透水シート８との間に形成された空隙へ流れ込み、透水シート８から基礎層１４を介して地中側へ序々に排水され、最終的には桝本体６の内部が乾燥した状態となる。
【００４８】
このように、本実施形態に係る集水桝１では、雨が上がった後に泥砂貯留部１１に貯留している雨水を地中側へ排水することによって、当該集水桝１が害虫発生の温床となることを防止するように構成している。
【００４９】
また、上記実施形態では、透水板７をポーラスコンクリートにより形成した板体により構成するようにしたが、透水板７の変形例として、透水板７に把持部を設けることにより、使用中の透水板７の透水性が劣化した場合に、この把持部を把持して透水板７を新たなものに取替え可能に構成することもできる。
【００５０】
すなわち、図２に示すように、この変形例に係る透水板７ａは、その両端縁に指を係止できる程の断面視半円弧状凹部を形成すると共に、当該透水板７ａの上面の幅を底面の幅よりも狭く形成することによって把持部７ｂを形成する。
【００５１】
このように、透水板７ａに把持部７ｂを設けたことにより、度重なる降雨や桝本体６内部の湿気等に起因して透水板７ａの内部にコケ等が生じ、透水板７ａが目詰まりして透水性が劣化した場合であっても、この把持部７ｂを把持して古くなった透水板７ａを新たな透水板７ａに容易に取り替えることができる。
【図面の簡単な説明】
【００５２】
【図１】本実施形態に係る集水桝の断面を示す説明図である。
【図２】本実施形態の集水桝が備える透水板の変形例を示す説明図である。
【図３】従来の集水桝を示す説明図である。
【符号の説明】
【００５３】
１  集水桝
２  開口部
３  側壁部
４  排水管
５  連通孔
６  桝本体
７、７ａ  透水板
８  透水シート
９  蓋体
１０  地面
１１  泥砂貯留部
１２  呼樋
１３  集水穴
１４  基礎層
【図１】
0003128625.tif 000003
【図２】
0003128625.tif 000004
【図３】
0003128625.tif 000005